【事件の表示】
　特願２０１３−　８１９０２「表示制御プログラム、表示制御方法、表示装置および印刷システム」拒絶査定不服審判事件〔平成２６年１０月２７日出願公開、特開２０１４−２０３４２３、請求項の数（６）〕について、次のとおり審決する。
【結　論】
　原査定を取り消す。
　本願の発明は、特許すべきものとする。
【理　由】
第１　手続の経緯
　本願は、平成２５年４月１０日の出願であって、平成２９年１月２４日付けで拒絶理由が通知され、同年３月３０日付けで手続補正がされたが、同年６月５日付けで拒絶査定がされ、それに対して同年９月１３日に拒絶査定不服の審判請求がされたものである。
第２　原査定の理由の概要
　原査定（平成２９年６月５日付け拒絶査定）の概要は次のとおりである。
本願請求項１−６に係る発明は、以下の引用文献１に記載された発明、引用文献２に記載された技術的事項、及び、周知技術に基づいて、その発明の属する技術の分野における通常の知識を有する者（以下、「当業者」という。）が容易に発明をすることができたものであるから、特許法第２９条第２項の規定により特許を受けることができない。
引用文献一覧
１．特開２０１０−１７７９３１号公報
２．特開２０１２−１６３８５３号公報
３．特開２０１０−１４９４６５号公報（周知技術を示す文献）
４．特開２００７−１６６００９号公報（周知技術を示す文献）
第３　本願発明
　本願の請求項１−６に係る発明（以下、それぞれ「本願発明１」−「本願発明６」という。）は、平成２９年３月３０日付けで手続補正された特許請求の範囲の請求項１−６に記載された事項により特定される発明であり、本願発明１−６は以下のとおりの発明である。
「【請求項１】
　ラベルのサイズを設定するユーザーからの操作を受け付けるステップと、
　印刷媒体に印刷画像が印刷された前記ラベルが貼付される貼付箇所の画像である貼付箇所画像と、前記ラベルのプレビュー画像と、を重ね合わせた合成画像を、表示部に表示する表示ステップと、
　前記合成画像を前記表示部に表示した状態で、前記貼付箇所画像に対する前記プレビュー画像の相対サイズを変化させるユーザーからの操作を受け付ける操作ステップと、
　前記操作ステップにおける前記相対サイズを変化させる操作に基づいて、変化した前記合成画像を前記表示部に表示する表示変化ステップと、
　前記操作ステップにおける前記相対サイズを変化させる操作により前記ラベルのサイズの設定値を変更することなく、印刷データを作成するステップと、
をコンピューターに実行させることを特徴とする表示制御プログラム。
【請求項２】
　前記操作ステップにおいて、前記印刷媒体が矩形状である場合に、前記合成画像の変化として、前記プレビュー画像を台形変化させるユーザーからの操作を受け付け、
　前記表示変化ステップにおいて、前記操作ステップにおける前記プレビュー画像を台形変化させる操作に基づいて、変化した前記合成画像を前記表示部に表示することを、前記コンピューターに実行させることを特徴とする請求項１に記載の表示制御プログラム。
【請求項３】
　ラベルのサイズを設定するユーザーからの操作を受け付けるステップと、
　印刷媒体に印刷画像が印刷された前記ラベルが貼付される貼付箇所の画像である貼付箇所画像と、前記ラベルのプレビュー画像と、を重ね合わせた合成画像を、表示部に表示する表示ステップと、
　前記合成画像が前記表示部に表示された状態で、前記貼付箇所画像に対する前記プレビュー画像の相対サイズを変化させるユーザーからの操作を受け付ける操作ステップと、
　受け付けた前記相対サイズを変化させる操作に基づいて、変化した前記合成画像を前記表示部に表示する表示変化ステップと、
　前記操作ステップにおける前記相対サイズを変化させる操作により前記ラベルのサイズの設定値を変更することなく、印刷データを作成するステップと、
を実行することを特徴とする表示制御方法。
【請求項４】
　表示部と、
　印刷媒体に印刷画像が印刷されたラベルが貼付される貼付箇所の画像である貼付箇所画像と、前記ラベルのプレビュー画像と、を重ね合わせた合成画像を、前記表示部に表示する表示制御部と、
　前記ラベルのサイズを設定するユーザーからの操作と、前記合成画像が前記表示部に表示された状態で、前記貼付箇所画像に対する前記プレビュー画像の相対サイズを変化させるユーザーからの操作と、を受け付ける操作部と、
　前記操作部が受け付けた前記相対サイズを変化させる操作により前記ラベルのサイズの設定値を変更することなく、印刷データを作成する印刷データ作成部と、を備え、
　前記表示制御部は、前記操作部が受け付けた前記相対サイズを変化させる操作に基づいて、変化した前記合成画像を前記表示部に表示することを特徴とする表示装置。
【請求項５】
　作成された前記印刷データを出力するデータ出力部、をさらに備えたことを特徴とする請求項４に記載の表示装置。
【請求項６】
　請求項５に記載の表示装置と、
　出力された前記印刷データに基づいて、前記印刷媒体に前記印刷画像を印刷する印刷装置と、
を備えたことを特徴とする印刷システム。」
第４　引用文献・引用発明
　（１）原査定の拒絶理由に引用された引用文献１には、図面とともに次の事項が記載されている。（なお、下線は重要箇所につき、当審にて付与した。）
「【００５３】
　図７に示す印刷データ編集プログラムは、前述したように、ＨＤＤ６５のプログラム記憶領域６５１に記憶されており、ユーザが実行ファイルを起動させると、ＣＰＵ６１が、印刷データ編集プログラムに従い、各処理を実行する。印刷データ編集プログラムでは、
まず、初期化が行われる
設定値や設定項目には初期値や標準設定が設定される。例えば、標準設定として、文字の書体には明朝体が設定され、文字枠形状には長円形が設定される。
ＰＣ２のモニタ２１に編集画面７（図６参照）が表示され、各種ボタンやリストボックス等の押下（操作）待ちが開始される
【００５４】
　押下待ちの間に、
編集画面７で、背景画像入力ボタンとして分類される、カメラ入力ボタン７１１、スキャナ入力ボタン７１２、およびファイル入力ボタン７１３のいずれかのボタンが押された場合には
押されたボタンに応じて、カメラ（図示外）による撮影画像のデータ、スキャナ２４による取り込み画像のデータ、
が、背景画像データとして読み込まれる。
【００５５】
　押下待ちの間に、オブジェクト選択リストボックスとして分類される、ラベルサイズリストボックス７２１、文字枠形状リストボックス７３１、文字枠周囲ぼかしリストボックス７３３、書体リストボックス７４１、文字サイズリストボックス７４２、文字装飾リストボックス７４４、第１文字背景加工リストボックス７８１、および影加工リストボックス７８２のいずれかのリストボックスが押下された場合には（Ｓ９：ＹＥＳ）、各リストボックスに対応した選択候補が表示される（Ｓ１１）。例えば、ラベルサイズリストボックス７２１においては、「１２ｍｍ×４８ｍｍ」、「１２ｍｍ×ａｕｔｏ」など、ラベルテープ８から切り出されるラベルの縦横の大きさ（サイズ）を設定するための選択候補が表示される。ここで、「１２ｍｍ×ａｕｔｏ」が選択されると、ラベルの縦の長さは１２ｍｍに設定され、横の長さは文字の大きさ等に応じて適宜設定される。
【００５６】
　そして、上記の各オブジェクト選択リストボックスにおいて選択されるそれぞれの選択候補は、対応する各項目（作成するラベルの縦横のサイズ、文字枠領域の形状、第２文字背景イメージの周囲をぼかす処理の有無や強度の設定、文字の書体、文字の装飾、第１文字背景に施す画像処理の種類）の設定値としてＲＡＭ６３に記憶（登録）される（Ｓ１３）。その後、後述するイメージ表示処理が行われ（Ｓ３５）、Ｓ３に戻り、上記同様、図６に示す各種ボタンやリストボックス等の押下待ち（操作待ち）が行われる。
【００５７】
　押下待ちの間に、「色選択」関連リストボックスとして分類される、ラベル色リストボックス７２２、文字枠内色リストボックス７３２、および文字色リストボックス７４３のいずれかのリストボックスが押下された場合には（Ｓ１５：ＹＥＳ）、各リストボックスに対応した選択候補が表示される（Ｓ１７）。ラベル色や文字枠内色、文字色として選択された色は、設定値としてＲＡＭ６３に記憶（登録）される（Ｓ１９）。その後、後述するイメージ表示処理が行われ（Ｓ３５）、Ｓ３に戻り、上記同様、図６に示す各種ボタンやリストボックス等の押下待ち（操作待ち）が行われる。
【００５８】
　押下待ちの間に、「ラベルサイズを示す枠」が押されている状態にある場合には（Ｓ２１：ＹＥＳ）、マウスポインタの移動量分だけ、「ラベルサイズを示す枠」の位置が、背景画像１００（図９参照）に対して移動される（Ｓ２３）。後述するイメージ表示処理において、背景画像とラベルサイズが設定されていると、サンプル表示部７５（図６参照）にはラベルテープ８から切り出されるラベルの大きさを示す、「ラベルサイズを示す枠」（以下、「枠」８１１ともいう。）が表示される。例えば図９に示すように、サンプル表示部７５に背景画像１００が表示されるとともに、背景画像１００に重ねて枠８１１が表示される。ユーザが、マウス２３のポインタで枠８１１をクリックし、ホールドすれば、ユーザは、枠８１１をドラッグして移動させることができるようになる。枠８１１は、初期状態において、サンプル表示部７５に表示された背景画像１００の範囲内で、右下に表示されるが、マウス２３を操作して枠８１１をドラッグすれば、背景画像１００上の任意の位置に移動させることもできる。このように、ユーザは、背景画像１００内で、マウスを操作することによって、「ラベルサイズを示す枠」（枠８１１）を容易に動かすことができ、任意の貼り付け位置を設定することができる。その後、後述するイメージ表示処理が行われ（Ｓ３５）、Ｓ３に戻り、上記同様、図６に示す各種ボタンやリストボックス等の押下待ち（操作待ち）が行われる。
【００５９】
　押下待ちの間に、
印刷ボタン７６が押された場合には
「ラベルサイズを示す枠」内に表示された合成イメージを、ラベルテープ８に印刷する処理が行われる。
印刷データ編集プログラム
【００６０】
　押下待ちの間に、終了ボタン７７が押された場合には（Ｓ３３：ＹＥＳ）、印刷データ編集プログラムの実行が終了される。ＰＣ２のモニタ２１（図１参照）における編集画面７（図６参照）の表示も終了される。
【００６１】
　次に、メイン処理のＳ３５においてコールされるイメージ表示処理の詳細について説明する。図７に示す、印刷データ編集プログラムのメイン処理において、Ｓ３５のイメージ表示処理は、上記した、Ｓ５、Ｓ１３、Ｓ１９、Ｓ２３の各処理の後にコールされ、図１０に示す、サブルーチンが実行される。図１０に示すように、イメージ表示処理では、まず、
背景画像が、カメラ、スキャナ、あるいはファイルから、既に読み込み済みであるか、確認が行われる
背景画像データが記憶されていなければ
イメージ表示処理を終了し、
背景画像データが記憶されている場合には
サンプル表示部７５の表示画面を仮想的に形成した領域（以下、「仮想表示領域」という。）に、背景画像データ
が展開され、背景画像のみを表示したプレビュー画像が作成される
【００６２】
　
次に、ラベルサイズ（ラベルサイズリストボックス７２１（図６参照）で指定されたラベルの縦横の大きさ（サイズ））が登録済みであるか、確認が行われる
ラベルサイズが記憶されていなければ
イメージ表示処理を終了し
【００６３】
　ＲＡＭ６３に
ラベルサイズが記憶されている場合
ＣＰＵ６１のバッファ内で、文字データによって指定される文字（文字列）に対して書体、文字サイズおよび文字装飾を適用した状態で表現される文字イメージが作成され
フォントの種類（プロポーショナルフォント、等幅フォントなど）に応じて文字間の幅が調整され、調整後の文字イメージの範囲（つまり、文字の占める領域）から、文字列全体の幅（本実施の形態ではラベルテープ８の延長方向に占める長さ）が算出され
求められた文字列の幅および高さはＲＡＭ６３に記憶され、後述する文字枠形状の調整や、ラベルサイズの決定（ラベルの横の長さをａｕｔｏにした場合）、第２文字背景イメージが作成される場合にはその周囲をぼかす処理の適用範囲の調整、ラベル内における文字イメージのセンタリング（余白調整）などに利用され
さらに、仮想表示領域において、指定（ａｕｔｏの場合は上記で算出）されたラベルサイズに応じた枠（「ラベルサイズを示す枠」、
を背景画像に重ねて配置したプレビュー画像が作成される
　上記記載事項によれば、引用文献１には、以下の発明（以下、「引用発明」という。）が記載されているといえる。
「まず、初期化が行われ、設定値や設定項目には初期値や標準設定が設定、例えば、標準設定として、文字の書体には明朝体が設定され、文字枠形状には長円形が設定され、ＰＣ２のモニタ２１に編集画面７が表示され、各種ボタンやリストボックス等の押下（操作）待ちが開始され、
編集画面７で、背景画像入力ボタンとして分類される、カメラ入力ボタン７１１、スキャナ入力ボタン７１２、およびファイル入力ボタン７１３のいずれかのボタンが押された場合には、押されたボタンに応じて、例えば、カメラによる撮影画像のデータが、背景画像データとして読み込まれ、
背景画像が、カメラ、スキャナ、あるいはファイルから、既に読み込み済みであるか、確認が行われ、背景画像データが記憶されていなければ、イメージ表示処理を終了し、背景画像データが記憶されている場合には、サンプル表示部７５の表示画面を仮想的に形成した領域（以下、「仮想表示領域」という。）に、背景画像データが展開され、背景画像のみを表示したプレビュー画像が作成され、
次に、ラベルサイズ（ラベルサイズリストボックス７２１で指定されたラベルの縦横の大きさ（サイズ））が登録済みであるか、確認が行われ、ラベルサイズが記憶されていなければ、イメージ表示処理を終了し、ラベルサイズが記憶されている場合、ＣＰＵ６１のバッファ内で、文字データによって指定される文字（文字列）に対して書体、文字サイズおよび文字装飾を適用した状態で表現される文字イメージが作成され、フォントの種類（プロポーショナルフォント、等幅フォントなど）に応じて文字間の幅が調整され、
調整後の文字イメージの範囲（つまり、文字の占める領域）から、文字列全体の幅（ラベルテープ８の延長方向に占める長さ）が算出され、調整後の文字イメージの範囲から、文字列全体の高さ（ラベルテープ８の幅方向に占める長さ）も算出され、求められた文字列の幅および高さはＲＡＭ６３に記憶され、
後述する文字枠形状の調整や、ラベルサイズの決定（ラベルの横の長さをａｕｔｏにした場合）、第２文字背景イメージが作成される場合にはその周囲をぼかす処理の適用範囲の調整、ラベル内における文字イメージのセンタリング（余白調整）などに利用され、さらに、仮想表示領域において、指定（ａｕｔｏの場合は上記で算出）されたラベルサイズに応じた枠（「ラベルサイズを示す枠」）を背景画像に重ねて配置したプレビュー画像が作成されるイメージ表示処理が行われ、
印刷ボタン７６が押された場合には、「ラベルサイズを示す枠」内に表示された合成イメージを、ラベルテープ８に印刷する処理が行われる、印刷データ編集プログラム。」
（２）原査定において周知技術を示す文献として引用された引用文献３には、図面とともに次の事項が記載されている。
「【請求項６】
　タッチパネルディスプレイとメモリとを備えるプリンタが、ディスクのラベル面への印刷を行う印刷方法であって、
　前記メモリに格納された原画像のデータから表示画像のデータを生成して、前記タッチパネルディスプレイに表示するとともに、前記ディスクの前記ラベル面の印刷可能領域を示すディスク枠を、前記表示画像に重畳して前記タッチパネルディスプレイに第１のサイズで表示するステップと、
　前記タッチパネルディスプレイへのユーザの入力に基づいて、前記表示画像を、前記第１のサイズで表示された前記ディスク枠に対して移動、拡大、縮小するデータ処理を行い、編集するステップと、
　前記編集するステップのデータ処理に基づいて、前記表示画像を更新して表示するステップと、
　前記更新された前記表示画像を、前記第１のサイズで表示された前記ディスク枠で切り取るデータ処理を行い、印刷画像のデータを生成して、前記ディスクの前記ラベル面に印刷するステップと、
　を備えることを特徴とする印刷方法。」（【特許請求の範囲】【請求項６】）
「【００５６】
　図１１（Ｄ）は、ここまで説明した拡大・縮小（Ｓ４０１〜Ｓ４０７）及びプレビュー処理（Ｓ６０１〜Ｓ６０５）後の表示パネル５０の表示例を示す。拡大・縮小カーソル５０３Ａ、５０３Ｂが表示パネル５０の左画面に表示された、図１１（Ｃ）の状態で、ユーザは、例えば、矢印が反時計回り方向である縮小カーソル５０３Ａをタッチすることで、図１１（Ｄ）に示されるように、左画面に表示された表示画像を縮小することができる。このように、ユーザは、半円弧状の拡大・縮小カーソル５０３Ａ、５０３Ｂに対して、時計回り、反時計回りのいずれかの方向にタッチすることで、表示画像を拡大、縮小させることができる。したがって、カメラやプロジェクタのズーム操作と同様に、ユーザは、表示画像を拡大、縮小する入力操作を直感的に行うことができる。
【００５７】
　続いて、図９を参照して、印刷フローについて説明する。Ｓ５０１において、ＣＰＵ２２は、表示パネル５０の左画面に表示されている画像をディスク枠５０１で切り取るデータ処理を行い、印刷画像のデータを生成する。具体的には、ＣＰＵ２２は、表示パネル５０の左画面に表示された画像（図１０、図１１参照）に対して、ディスク枠５０１の内円と外円とに囲まれた領域を切り取るデータ処理を行う。そして、ＣＰＵ２２は、切り取ったデータを、ディスクのラベル面に印刷する印刷画像のデータとして、ＲＡＭ２６に格納する（Ｓ５０２）。」段落【００５６】−【００５７】
第５　対比・判断
１．本願発明１について
（１）対比
　本願発明１と引用発明とを対比する。
（ア）引用発明の「ラベルサイズ（ラベルサイズリストボックス７２１で指定されたラベルの縦横の大きさ（サイズ））が登録」される構成は、ラベルのサイズを設定しているといえるので、本願発明１の「ラベルのサイズを設定するユーザーからの操作を受け付けるステップ」に相当する。
（イ）引用発明の「仮想表示領域において、指定（ａｕｔｏの場合は上記で算出）されたラベルサイズに応じた枠（「ラベルサイズを示す枠」）を背景画像に重ねて配置したプレビュー画像が作成され」る構成は、本願発明１の「印刷媒体に印刷画像が印刷された前記ラベルが貼付される貼付箇所の画像である貼付箇所画像と、前記ラベルのプレビュー画像と、を重ね合わせた合成画像を、表示部に表示する表示ステップ」に相当するといえる。
（ウ）引用発明は、印刷ボタン７６が押された場合には、「ラベルサイズを示す枠」内に表示された合成イメージを、ラベルテープ８に印刷する処理が行われるから、引用発明は、本願発明１と「印刷データを作成するステップ」を有する点では共通するといえる。
（エ）引用発明の「印刷データ編集プログラム」は、後述する相違点を除き、本願発明１の「コンピューターに実行させることを特徴とする表示制御プログラム」に相当するといえる。
　したがって、本願発明１と引用発明との間には、以下の一致点及び相違点があるといえる。
（一致点）
「ラベルのサイズを設定するユーザーからの操作を受け付けるステップと、
　印刷媒体に印刷画像が印刷された前記ラベルが貼付される貼付箇所の画像である貼付箇所画像と、前記ラベルのプレビュー画像と、を重ね合わせた合成画像を、表示部に表示する表示ステップと、
　印刷データを作成するステップと、
　をコンピューターに実行させることを特徴とする表示制御プログラム。」
（相違点）
　本願発明１は「前記合成画像を前記表示部に表示した状態で、前記貼付箇所画像に対する前記プレビュー画像の相対サイズを変化させるユーザーからの操作を受け付ける操作ステップと、前記操作ステップにおける前記相対サイズを変化させる操作に基づいて、変化した前記合成画像を前記表示部に表示する表示変化ステップと、前記操作ステップにおける前記相対サイズを変化させる操作により前記ラベルのサイズの設定値を変更することなく、印刷データを作成するステップ」をコンピューターに実行させるものであるのに対し、引用発明は、そのようなステップをコンピューターに実行させるものではない点。
（２）相違点についての判断
　引用文献３には、「ディスクのラベル面への印刷を行う印刷方法」において、タッチパネルディスプレイへのユーザの入力に基づいて、ディスクのラベル面の印刷可能領域を示すディスク枠が第１のサイズで重畳表示されている表示画像を、前記ディスク枠に対して拡大、縮小するデータ処理を行い、印刷画像のデータを作成することが記載されているが、上記相違点に係る本願発明１の構成は、記載されておらず、示唆されてもいない。また、上記相違点に係る本願発明１の構成は、引用文献２、４にも記載されておらず、本願出願日前に周知技術であったともいえない。
　したがって、本願発明１は、当業者であっても、引用発明、引用文献２に記載された技術的事項及び周知技術に基づいて容易に発明をすることができたとはいえない。
２．本願発明２について
　本願発明２は、上記相違点に係る本願発明１の構成と同じ構成を備えるものであるから、本願発明１と同様の理由により当業者であっても、引用発明、引用文献２に記載された技術的事項及び周知技術に基づいて容易に発明できたものとはいえない。
３．本願発明３、４について
　本願発明３、４は、本願発明１に対応する表示制御方法、表示装置の発明であり、上記相違点１に係る本願発明１の構成と同様の構成を備えるものであるから、本願発明１と同様の理由により当業者であっても、引用発明１、引用文献２に記載された技術的事項及び周知技術に基づいて容易に発明をすることができたものとはいえない。
４．本願発明５、６について
　本願発明５、６は本願発明４を減縮した発明であって、上記相違点に係る本願発明１の構成と同様の構成を備えるものであるから、本願発明１と同様の理由により当業者であっても、引用発明、引用文献２に記載された技術的事項及び周知技術に基づいて容易に発明できたものとはいえない。
第６　むすび
　以上のとおり、原査定の理由によっては本願を拒絶することはできない。
　また、他に本願を拒絶すべき理由を発見しない。
　よって、結論のとおり審決する。